(57)【要約】  ＬＴＥにおいて２５６ＱＡＭなどのより高次の変調を可能にするための方法および無線ノード（５００）。第１のテーブル構成は、第１の変調符号化方式（ＭＣＳ）テーブルと第１のチャネル品質指標（ＣＱＩ）テーブルの少なくとも一方を含み、これらのテーブルは特定の最大変調次数をサポートする。無線ノード（５００）が、第１のテーブル構成の最大変調次数よりも次数の高い変調次数を無線通信に使用できる可能性があることを検出したとき、無線ノード（５００）は、第１のＵＥ（５０２）に対し、より高次の変調次数をサポートする第２のＭＣＳテーブルと第２のＣＱＩテーブルの少なくとも一方を含む、第２のテーブル構成を適用するよう命令する。第１のテーブル構成のテーブルにおける少なくとも１つの変調次数に対する少なくとも１つのエントリは、第２のテーブル構成が適用されているときの、第１のテーブル構成の少なくとも１つの変調次数を使用することが望ましい場合のフォールバックとして、第２のテーブル構成のテーブルにおいて維持される。このようにして、無線通信において、より高いデータレートを達成することができる。レガシーのＭＣＳテーブルおよび２５６ＱＡＭのエントリを有する新しいＭＣＳテーブルは、これらのテーブル間を切り替えるシグナリングと共に提供される。【選択図】図８
2016535521.tif 000002
【特許請求の範囲】
【請求項１】
セルラネットワークの無線ノード（５００）によって実行される方法であって、前記無線ノード（５００）がユーザ機器ＵＥとの無線通信において第１のテーブル構成を適用するように動作可能であり、前記第１のテーブル構成が第１の変調符号化方式（ＭＣＳ）テーブルと第１のチャネル品質指標（ＣＱＩ）テーブルの少なくとも一方を含み、前記第１のＭＣＳテーブルと前記第１のＣＱＩテーブルの前記少なくとも一方が特定の最大変調次数をサポートし、前記方法が、
−  前記第１のテーブル構成の前記最大変調次数よりも次数の高いより高次の変調次数が前記無線ノード（５００）と第１のＵＥ（５０２）との間の無線通信に使用できる可能性があることを検出すること（４００）と、
−  前記第１のＵＥ（５０２）に対し、前記無線通信において第２のテーブル構成を適用するよう命令すること（４０２）であって、前記第２のテーブル構成が第２のＭＣＳテーブルと第２のＣＱＩテーブルの少なくとも一方を含み、前記第２のＭＣＳテーブルと前記第２のＣＱＩテーブルの前記少なくとも一方が前記より高次の変調次数をサポートし、かつ前記第１のＭＣＳテーブルと前記第１のＣＱＩテーブルの前記少なくとも一方における少なくとも１つの変調次数に対する少なくとも１つのエントリが、前記第２のテーブル構成が適用されているときの、前記第１のＭＣＳテーブルと前記第１のＣＱＩテーブルの前記少なくとも一方における前記少なくとも１つの変調次数を使用することが望ましい場合のフォールバックとして、前記第２のＭＣＳテーブルと前記第２のＣＱＩテーブルの前記少なくとも一方において維持される、命令することと
を含む方法。
【請求項２】
前記無線ノード（５００）が、前記無線ノード（５００）と前記第１のＵＥ（５０２）との間で伝達される信号のパフォーマンス関連パラメータがしきい値を上回ったとき、前記第１のＵＥ（５０２）に対し、前記無線ノード（５００）と前記第１のＵＥ（５０２）との間の前記無線通信において前記第２のテーブル構成を適用するよう命令する、請求項１に記載の方法。
【請求項３】
前記無線ノード（５００）が、前記無線ノード（５００）と第２のＵＥとの間で伝達される信号の前記パフォーマンス関連パラメータが前記しきい値を下回ったとき、前記第２のＵＥに対し、前記無線ノード（５００）と前記第２のＵＥとの間の無線通信において前記第１のテーブル構成を適用するよう命令する、請求項２に記載の方法。
【請求項４】
前記パフォーマンス関連パラメータが信号対干渉雑音比（ＳＩＮＲ）を含む、請求項２または３に記載の方法。
【請求項５】
前記無線ノード（５００）が前記第２のＵＥに対し、前記第２のＵＥへ命令を送信することにより前記第１のテーブル構成を適用するよう命令し、または前記第２のＵＥへ命令を送信しないことにより前記第２のテーブル構成を適用するよう命令する、請求項３に記載の方法。
【請求項６】
前記第２のＭＣＳテーブルと前記第２のＣＱＩテーブルの前記少なくとも一方が、それぞれ対応する前記第１のＭＣＳテーブルと前記第１のＣＱＩテーブルの前記少なくとも一方の修正であり、前記第２のＭＣＳテーブルと前記第２のＣＱＩテーブルの前記少なくとも一方で、前記より高次の変調次数のエントリのセットが追加され、かつ前記第１のＭＣＳテーブルと前記第１のＣＱＩテーブルの前記少なくとも一方における前記少なくとも１つの変調次数のエントリのセットが削除されている、請求項１ないし５のいずれか一項に記載の方法。
【請求項７】
前記第１のＭＣＳテーブルと前記第１のＣＱＩテーブルの前記少なくとも一方における前記少なくとも１つの変調次数が、前記第１のテーブル構成の最小変調次数を含む、請求項１ないし６のいずれか一項に記載の方法。
【請求項８】
前記第１のＭＣＳテーブル内の前記最小変調次数に対する最初のエントリが、前記第２のＭＣＳテーブル内に前記フォールバックとして維持され、かつ前記第１のＣＱＩテーブル内の前記最小変調次数の最小符号化率に対するエントリが、前記第２のＣＱＩテーブル内に前記フォールバックとして維持される、請求項７に記載の方法。
【請求項９】
前記第１のＭＣＳテーブルと前記第２のＭＣＳテーブルとが等しいサイズとなり、かつ／または前記第１のＣＱＩテーブルと前記第２のＣＱＩテーブルとが等しいサイズとなるように、前記より高次の変調次数の追加されるエントリの数と、前記第１のＭＣＳテーブルと前記第１のＣＱＩテーブルの前記少なくとも一方における前記少なくとも１つの変調次数の削除されるエントリの数とが等しい、請求項６および請求項７または８に記載の方法。
【請求項１０】
前記第２のＭＣＳテーブルと前記第２のＣＱＩテーブルの前記少なくとも一方が、それぞれ対応する前記第１のＭＣＳテーブルと前記第１のＣＱＩテーブルの前記少なくとも一方の修正であり、前記第２のＭＣＳテーブルと前記第２のＣＱＩテーブルの前記少なくとも一方で、前記第１のＭＣＳテーブルと前記第１のＣＱＩテーブルの前記少なくとも一方のすべてのエントリが前記第２のＭＣＳテーブルと前記第２のＣＱＩテーブルの前記少なくとも一方において維持され、かつ前記より高次の変調次数のエントリのセットが追加されている、請求項１ないし５のいずれか一項に記載の方法。
【請求項１１】
前記第１のテーブル構成および前記第２のテーブル構成が、それぞれ前記第１のＭＣＳテーブルおよび前記第２のＭＣＳテーブルに対応するトランスポートブロックサイズ（ＴＢＳ）テーブルをさらに含む、請求項１ないし１０のいずれか一項に記載の方法。
【請求項１２】
ユーザ機器ＵＥとの無線通信において第１のテーブル構成を適用するように動作可能である、セルラネットワークの無線ノード（５００）であって、前記第１のテーブル構成が第１の変調符号化方式（ＭＣＳ）テーブルと第１のチャネル品質指標（ＣＱＩ）テーブルの少なくとも一方を含み、前記第１のＭＣＳテーブルと前記第１のＣＱＩテーブルの前記少なくとも一方が特定の最大変調次数をサポートし、前記無線ノード（５００）が、
−  前記第１のテーブル構成の前記最大変調次数よりも次数の高いより高次の変調次数が前記無線ノード（５００）と第１のＵＥ（５０２）との間の無線通信に使用できる可能性があることを検出するように設定された、論理部（５００ａ）と、
−  前記第１のＵＥ（５０２）に対し、前記無線通信において第２のテーブル構成を適用するよう命令するように設定された命令部（５００ｂ）であって、前記第２のテーブル構成が第２のＭＣＳテーブルと第２のＣＱＩテーブルの少なくとも一方を含み、前記第２のＭＣＳテーブルと前記第２のＣＱＩテーブルの前記少なくとも一方が前記より高次の変調次数をサポートし、かつ前記第１のＭＣＳテーブルと前記第１のＣＱＩテーブルの前記少なくとも一方における少なくとも１つの変調次数に対する少なくとも１つのエントリが、前記第２のテーブル構成が適用されているときの、前記第１のＭＣＳテーブルと前記第１のＣＱＩテーブルの前記少なくとも一方における前記少なくとも１つの変調次数を使用することが望ましい場合のフォールバックとして、前記第２のＭＣＳテーブルと前記第２のＣＱＩテーブルの前記少なくとも一方において維持される、命令部（５００ｂ）と
を備える無線ノード。
【請求項１３】
前記無線ノード（５００）と前記第１のＵＥ（５０２）との間で伝達される信号のパフォーマンス関連パラメータがしきい値を上回ったとき、前記第１のＵＥ（５０２）に対し、前記無線ノード（５００）と前記第１のＵＥ（５０２）との間の前記無線通信において前記第２のテーブル構成を適用するよう命令するように設定された、請求項１２に記載の無線ノード（５００）。
【請求項１４】
前記無線ノード（５００）と第２のＵＥとの間で伝達される信号の前記パフォーマンス関連パラメータが前記しきい値を下回ったとき、前記第２のＵＥに対し、前記無線ノード（５００）と前記第２のＵＥとの間の無線通信において前記第１のテーブル構成を適用するよう命令するように設定された、請求項１３に記載の無線ノード（５００）。
【請求項１５】
前記パフォーマンス関連パラメータが信号対干渉雑音比（ＳＩＮＲ）を含む、請求項１３または１４に記載の無線ノード（５００）。
【請求項１６】
前記第２のＵＥに対し、前記第２のＵＥへ命令を送信することにより前記第１のテーブル構成を適用するよう命令し、または前記第２のＵＥへ命令を送信しないことにより前記第２のテーブル構成を適用するよう命令するように設定された、請求項１４に記載の無線ノード（５００）。
【請求項１７】
前記第２のＭＣＳテーブルと前記第２のＣＱＩテーブルの前記少なくとも一方が、それぞれ対応する前記第１のＭＣＳテーブルと前記第１のＣＱＩテーブルの前記少なくとも一方の修正であり、前記第２のＭＣＳテーブルと前記第２のＣＱＩテーブルの前記少なくとも一方で、前記より高次の変調次数のエントリのセットが追加され、かつ前記第１のＭＣＳテーブルと前記第１のＣＱＩテーブルの前記少なくとも一方における前記少なくとも１つの変調次数のエントリのセットが削除されている、請求項１２ないし１６のいずれか一項に記載の無線ノード（５００）。
【請求項１８】
前記第１のＭＣＳテーブルと前記第１のＣＱＩテーブルの前記少なくとも一方における前記少なくとも１つの変調次数が、前記第１のテーブル構成の最小変調次数を含む、請求項１２ないし１７のいずれか一項に記載の無線ノード（５００）。
【請求項１９】
前記第１のＭＣＳテーブル内の前記最小変調次数に対する最初のエントリが、前記第２のＭＣＳテーブル内に前記フォールバックとして維持され、かつ前記第１のＣＱＩテーブル内の前記最小変調次数の最小符号化率に対するエントリが、前記第２のＣＱＩテーブル内に前記フォールバックとして維持される、請求項１８に記載の無線ノード（５００）。
【請求項２０】
前記第１のＭＣＳテーブルと前記第２のＭＣＳテーブルとが等しいサイズとなり、かつ／または前記第１のＣＱＩテーブルと前記第２のＣＱＩテーブルとが等しいサイズとなるように、前記より高次の変調次数の追加されるエントリの数と、前記第１のＭＣＳテーブルと前記第１のＣＱＩテーブルの前記少なくとも一方における前記少なくとも１つの変調次数の削除されるエントリの数とが等しい、請求項１７および請求項１８または１９に記載の無線ノード（５００）。
【請求項２１】
前記第２のＭＣＳテーブルと前記第２のＣＱＩテーブルの前記少なくとも一方が、それぞれ対応する前記第１のＭＣＳテーブルと前記第１のＣＱＩテーブルの前記少なくとも一方の修正であり、前記第２のＭＣＳテーブルと前記第２のＣＱＩテーブルの前記少なくとも一方で、前記第１のＭＣＳテーブルと前記第１のＣＱＩテーブルの前記少なくとも一方のすべてのエントリが前記第２のＭＣＳテーブルと前記第２のＣＱＩテーブルの前記少なくとも一方において維持され、かつ前記より高次の変調次数のエントリのセットが追加されている、請求項１２ないし１６のいずれか一項に記載の無線ノード（５００）。
【請求項２２】
前記第１のテーブル構成および前記第２のテーブル構成が、それぞれ前記第１のＭＣＳテーブルおよび前記第２のＭＣＳテーブルに対応するトランスポートブロックサイズ（ＴＢＳ）テーブルをさらに含む、請求項１２ないし２１のいずれか一項に記載の無線ノード（５００）。
【請求項２３】
ユーザ機器ＵＥ（７００）によって実行される方法であって、前記ＵＥ（７００）がセルラネットワークの無線ノード（７０２）との無線通信において第１のテーブル構成を適用するように動作可能であり、前記第１のテーブル構成が第１の変調符号化方式（ＭＣＳ）テーブルと第１のチャネル品質指標（ＣＱＩ）テーブルの少なくとも一方を含み、前記第１のＭＣＳテーブルと前記第１のＣＱＩテーブルの前記少なくとも一方が特定の最大変調次数をサポートし、前記方法が、
−  前記無線通信において第２のテーブル構成を適用する命令を前記無線ノード（７０２）から受信すること（６００）であって、前記第２のテーブル構成が第２のＭＣＳテーブルと第２のＣＱＩテーブルの少なくとも一方を含み、前記第２のＭＣＳテーブルと前記第２のＣＱＩテーブルの前記少なくとも一方が、前記第１のテーブル構成の前記最大変調次数よりも次数の高いより高次の変調次数をサポートする、受信することと、
−  前記無線ノード（７０２）との前記無線通信において前記第２のテーブル構成を適用すること（６０２）と
を含む方法。
【請求項２４】
セルラネットワークの無線ノード（７０２）との無線通信において第１のテーブル構成を適用するように動作可能であるユーザ機器ＵＥ（７００）であって、前記第１のテーブル構成が第１の変調符号化方式（ＭＣＳ）テーブルと第１のチャネル品質指標（ＣＱＩ）テーブルの少なくとも一方を含み、前記第１のＭＣＳテーブルと前記第１のＣＱＩテーブルの前記少なくとも一方が特定の最大変調次数をサポートし、前記ＵＥ（７００）が、
−  前記無線通信において第２のテーブル構成を適用する命令を前記無線ノード（７０２）から受信するように設定された通信部（７００ａ）であって、前記第２のテーブル構成が第２のＭＣＳテーブルと第２のＣＱＩテーブルの少なくとも一方を含み、前記第２のＭＣＳテーブルと前記第２のＣＱＩテーブルの前記少なくとも一方が、前記第１のテーブル構成の前記最大変調次数よりも次数の高いより高次の変調次数をサポートする、通信部と、
−  前記無線ノード（７０２）との前記無線通信において前記第２のテーブル構成を適用するように設定された論理部（７００ｂ）と
を備えるＵＥ。
【請求項２５】
少なくとも１つのプロセッサ上で実行されたときに前記少なくとも１つのプロセッサに請求項１ないし１１および２３のいずれか一項に記載の方法を実行させる命令を含む、コンピュータプログラム。
【請求項２６】
電子信号、光信号、無線信号、またはコンピュータ可読記憶媒体の１つである、請求項２５のコンピュータプログラムを含むキャリア。
【発明の詳細な説明】
【技術分野】
【０００１】
本開示は、一般に、無線信号を伝達するときに高次変調の使用を可能にするための、セルラネットワークの無線ノード、ユーザ機器すなわちＵＥ、およびそれらにおける方法に関する。
【背景技術】
【０００２】
当分野において、「ユーザ機器（ＵＥ）」という用語は、サービング無線ノードから送信されたダウンリンク信号を受信することおよび無線ノードへアップリンク信号を送信することを含む、セルラネットワークとの無線通信の能力を有する任意の無線端末またはデバイスを表すために広く用いられているが、本開示でもそのように用いる。例えば、ユーザ機器（ＵＥ）という用語は、「無線デバイス」という用語と置換え可能である。さらに、一般に基地局、ｅ−ｎｏｄｅＢ、ｅＮＢなどとも言われる「無線ノード」という用語は、ＵＥとの間でアップリンクおよびダウンリンク無線信号の伝達を行うことができる、セルラネットワークの任意のノードを表す。ここで説明する無線ノードには、慣用例をいくつか挙げれば、いわゆるマクロノードならびにマイクロ、ピコ、フェムト、Ｗｉｆｉ、およびリレーノードなどの低電力ノードが含まれるが、これらに限定されない。本開示全体を通じて「ｅＮＢ」という用語がしばしば用いられるが、この用語は無線ノードという用語と置換え可能である。
【０００３】
Ｌｏｎｇ−Ｔｅｒｍ  Ｅｖｏｌｕｔｉｏｎ（ＬＴＥ）によるシステムにおけるリンクアダプテーションは、変調方式および／またはチャネル符号化率を無線リンク状態に適応させて調整することによりデータレートを制御する、適応変調符号化に基づいている。この手順では、物理ダウンリンク共有チャネル（ＰＤＳＣＨ）の送信に採用された変調符号化方式（ＭＣＳ）は、サービング無線ノードによるＵＥへのダウンリンクＭＣＳシグナリングで示す必要がある。ＵＥは無線ノードに対し、アップリンクシグナリングによって、チャネル品質指標（ＣＱＩ）シグナリングを通じて対応する無線リンク、すなわちチャネルの状態について通知し、この通知にはＣＱＩレポートを無線ノードへ送信することが含まれる。
【０００４】
この概略を図１に示す。この図では、セルラネットワークの無線ノード１００がＵＥ１およびＵＥ２で示される２つのＵＥにサーブしている。この例では、ＵＥ１とＵＥ２の両方が無線ノード１００へＣＱＩレポートを送信することにより、使用チャネルに対して実施した品質測定について報告している。無線ノード１００では、両ＵＥのＣＱＩ報告に基づいてそれぞれのＵＥに適したＭＣＳを選択し、選択したＭＣＳをそれぞれのＵＥへ通知する。無線リンク状態は急激に変化する可能性があるため、リンクアダプテーションは、このように個別のＵＥに対して動的に実施される。したがって、各ＵＥに対して適切なＭＣＳの選択を個別に行うことができる。
【０００５】
現行のＬＴＥシステムでは、ダウンリンクとアップリンクの両方に利用可能な変調方式のセットとして、変調シンボル当たりそれぞれ２、４、６ビットが搬送される４位相偏移変調すなわちＱＰＳＫ、１６直交振幅変調（ＱＡＭ）、および６４ＱＡＭがある。当分野では、通常、変調シンボル当たりで搬送されるビット数を変調次数、Ｑｍと呼ぶ。
【０００６】
要約すれば、サービング無線ノードがＵＥからのＣＱＩ報告に基づき適切なＭＣＳを選択し、選択したＭＣＳを、ＵＥにとって既知である事前定義されたＭＣＳインデックステーブルに関してＵＥへ通知する。ＭＣＳインデックステーブルは、ＭＣＳインデックスを変調次数およびトランスポートブロックサイズ（ＴＢＳ）インデックスに対してマッピングしたものである。さらに、ＵＥは信号測定値に基づいてＣＱＩ値を決定し、このＣＱＩが、ＣＱＩインデックスを変調形式および符号化率に対してマッピングした同様に事前定義されたＣＱＩインデックステーブルに関してＵＥから無線ノードへ通知される。この説明において、「変調形式」という用語は、変調のフォーマット、方法、または方式を簡略的に示すために用いる。
【０００７】
ＬＴＥにおいて、特に、信号対干渉雑音比（ＳＩＮＲ）が高い良好なチャネル状態のシナリオ（例えば、ＵＥがそのサービング無線ノードに近接しているスモールセル環境）では、所与の伝送帯域幅でＵＥにより高いデータレートを提供する手っ取り早い手段はより高い次数の変調を用いることである。より高い次数の変調は、変調シンボル当たり６ビットを搬送する６４ＱＡＭが可能なデータレートを最大としている上述の変調方式に比べ、変調シンボル当たりで搬送できる情報ビット数が多い。しかしながら、問題は、今日の制御シグナリングの方式、方法、フォーマット、またはプロトコルが、６４ＱＡＭのようなシンボル当たり６ビットよりも高次の何らの変調もサポートしていないことである。また高次変調を用いてデータレートを増加させる場合、ＵＥとサービング無線ノードとの間に追加の制御シグナリングが必要となることも問題である。
【発明の概要】
【０００８】
本明細書において説明する実施形態の目的は、上述した問題および課題の少なくともいくつかに対処することである。この目的およびその他は、添付の独立請求項に限定された無線ノード、ＵＥ、およびそれらにおける方法を用いることによって達成することができる。
【０００９】
一態様によれば、方法はセルラネットワークの無線ノードによって実行される。無線ノードは、ユーザ機器（ＵＥ）との無線通信において第１のテーブル構成を適用するように動作可能であり、第１のテーブル構成は第１の変調符号化方式（ＭＣＳ）テーブルと第１のチャネル品質指標（ＣＱＩ）テーブルの少なくとも一方を含み、第１のＭＣＳテーブルと第１のＣＱＩテーブルのこの少なくとも一方は特定の最大変調次数をサポートする。
【００１０】
この方法において、無線ノードは、第１のテーブル構成の最大変調次数よりも次数の高いより高次の変調次数が無線ノードと第１のＵＥとの間の無線通信に使用できる可能性があることを検出する。すると、無線ノードは、第１のＵＥに対し、前記無線通信において第２のテーブル構成を適用するよう命令する。第２のテーブル構成は第２のＭＣＳテーブルと第２のＣＱＩテーブルの少なくとも一方を含み、第２のＭＣＳテーブルと第２のＣＱＩテーブルの前記少なくとも一方は前記より高次の変調次数をサポートする。さらに、第１のＭＣＳテーブルと第１のＣＱＩテーブルの前記少なくとも一方における少なくとも１つの変調次数に対する少なくとも１つのエントリは、第２のテーブル構成が適用されているときの、第１のＭＣＳテーブルと第１のＣＱＩテーブルの前記少なくとも一方における前記少なくとも１つの変調次数を使用することが望ましい場合のフォールバックとして、第２のＭＣＳテーブルと第２のＣＱＩテーブルの前記少なくとも一方において維持される。
【００１１】
別の態様によれば、セルラネットワークの無線ノードはユーザ機器（ＵＥ）との無線通信において第１のテーブル構成を適用するように動作可能であり、第１のテーブル構成は第１の変調符号化方式（ＭＣＳ）テーブルと第１のチャネル品質指標（ＣＱＩ）テーブルの少なくとも一方を含み、第１のＭＣＳテーブルと第１のＣＱＩテーブルの前記少なくとも一方は特定の最大変調次数をサポートする。無線ノードは、第１のテーブル構成の最大変調次数よりも次数の高いより高次の変調次数が無線ノードと第１のＵＥとの間の無線通信に使用できる可能性があることを検出するように設定された、論理部を備えている。
【００１２】
無線ノードは、第１のＵＥに対し、前記無線通信において第２のテーブル構成を適用するよう命令するように設定された命令部もまた備え、第２のテーブル構成は第２のＭＣＳテーブルと第２のＣＱＩテーブルの少なくとも一方を含み、第２のＭＣＳテーブルと第２のＣＱＩテーブルの前記少なくとも一方は前記より高次の変調次数をサポートする。第１のＭＣＳテーブルと第１のＣＱＩテーブルの前記少なくとも一方における少なくとも１つの変調次数に対する少なくとも１つのエントリは、第２のテーブル構成が適用されているときの、第１のＭＣＳテーブルと第１のＣＱＩテーブルの前記少なくとも一方における前記少なくとも１つの変調次数を使用することが望ましい場合のフォールバックとして、第２のＭＣＳテーブルと第２のＣＱＩテーブルの前記少なくとも一方において維持される。
【００１３】
別の態様によれば、方法は、セルラネットワークの無線ノードとの無線通信に第１のテーブル構成を適用するように動作可能であるユーザ機器（ＵＥ）によって実行される。第１のテーブル構成は第１の変調符号化方式（ＭＣＳ）テーブルと第１のチャネル品質指標（ＣＱＩ）テーブルの少なくとも一方を含み、第１のＭＣＳテーブルと第１のＣＱＩテーブルの前記少なくとも一方は特定の最大変調次数をサポートする。この方法において、ＵＥは、前記無線通信において第２のテーブル構成を適用する命令を無線ノードから受信し、第２のテーブル構成は第２のＭＣＳテーブルと第２のＣＱＩテーブルの少なくとも一方を含み、第２のＭＣＳテーブルと第２のＣＱＩテーブルの前記少なくとも一方は、第１のテーブル構成の前記最大変調次数よりも次数の高いより高次の変調次数をサポートする。ＵＥはさらに、無線ノードとの無線通信において第２のテーブル構成を適用する。
【００１４】
別の態様によれば、ユーザ機器（ＵＥ）は、セルラネットワークの無線ノードとの無線通信において第１のテーブル構成を適用するように動作可能であり、第１のテーブル構成は第１の変調符号化方式（ＭＣＳ）テーブルと第１のチャネル品質指標（ＣＱＩ）テーブルの少なくとも一方を含み、第１のＭＣＳテーブルと第１のＣＱＩテーブルの前記少なくとも一方は特定の最大変調次数をサポートする。ＵＥは、前記無線通信において第２のテーブル構成を適用する命令を無線ノードから受信するように設定された通信部を備え、第２のテーブル構成は第２のＭＣＳテーブルと第２のＣＱＩテーブルの少なくとも一方を含み、第２のＭＣＳテーブルと第２のＣＱＩテーブルの前記少なくとも一方は、第１のテーブル構成の最大変調次数よりも次数の高いより高次の変調次数をサポートする。ＵＥは、無線ノードとの無線通信において第２のテーブル構成を適用するように設定された論理部もまた備えている。
【００１５】
上記の方法およびノードのいずれかを用いると、例えば望ましい無線またはチャネル状態であるときに、第１のテーブル構成の最大変調次数までに制限せず、第２のテーブル構成のより高次の変調次数を使用することにより、無線ノードとＵＥとの間の無線通信において、より高いデータレートを達成することが可能になる。
【００１６】
少なくとも１つのプロセッサ上で実行されたときに前記少なくとも１つのプロセッサに上記の方法のいずれかを実行させる命令を含む、コンピュータプログラムもまた提供される。上記のコンピュータプログラムを含むキャリアもまた提供され、このキャリアは電子信号、光信号、無線信号、またはコンピュータ可読記憶媒体の１つである。
【００１７】
上述の方法およびノードは、以下に説明するさらなる特徴および利点を実現するために、オプションの様々な実施形態に従って設定され、実現され得る。
【００１８】
次に、本解決策について、以下の添付図面を参照しながら、例示的実施形態によりさらに詳しく説明する。
【図面の簡単な説明】
【００１９】
【図１】従来技術によるリンクアダプテーションの実現方法を示す通信シナリオ図である。
【図２】無線ノードからＵＥへのＭＣＳシグナリングに用いられる、第１のテーブル構成に係るテーブルである。
【図３】ＵＥから無線ノードへのＣＱＩシグナリングに用いられる、第１のテーブル構成に係るテーブルである。
【図４】可能ないくつかの実施形態による、無線ノードにおける手順を示す流れ図である。
【図５】可能な別の実施形態に従って無線ノードがどのように設定され、動作し得るかを例示する、ブロック図である。
【図６】可能ないくつかの実施形態による、ＵＥにおける手順を示す流れ図である。
【図７】可能な別の実施形態に従ってＵＥがどのように設定され、動作し得るかを例示する、ブロック図である。
【図８】無線ノードからＵＥへのＭＣＳシグナリングに用いられる、第２のテーブル構成に係る修正されたテーブルの一例である。
【図９】ＵＥから無線ノードへのＣＱＩシグナリングに用いられる、第２のテーブル構成に係る修正されたテーブルの一例である。
【図１０】可能な別の実施形態による、トランスポートブロックサイズ（ＴＢＳ）インデックスをデータレートにマッピングするのに用いられる、修正されたテーブルの一例である。
【発明を実施するための形態】
【００２０】
本解決策によって、ＬＴＥシステムにおいてより高次の変調方式を採用するためにＭＣＳおよびＣＱＩの通知に関する上述の制御シグナリングを再設計し得ると認められた。特に、このようなシグナリングに用いられるＭＣＳおよびＣＱＩインデックステーブルは、余分のシグナリングビットを何ら必要とすることなく現行の最大変調次数を上げることができるように修正することが可能である。本開示において、より高次の変調という用語は、例えばシンボル当たり８ビットを搬送できる２５６ＱＡＭまたは５１２ＱＡＭなどのさらに高次の変調など、６４ＱＡＭよりも高次の変調方式を指してよい。
【００２１】
簡単に説明すると、無線ノードとＵＥとの間の無線通信において、当初は第１のテーブル構成が適用される。第１のテーブル構成は第１のＭＣＳテーブルおよび／または第１のＣＱＩテーブルを含み、これらのテーブルは特定の最大変調次数、例えば６をサポートする。図２に第１のＭＣＳテーブルの例を示し、図３に第１のＣＱＩテーブルの例を示す。第１のＭＣＳテーブルおよび第１のＣＱＩテーブルは、このように事前定義され、ＵＥにとって既知であり、またこれらのテーブルは、例えば、上述のリンクアダプテーションを可能にするために、現在、ＬＴＥにおいて無線ノードとＵＥとの間のシグナリングに用いられている。ただし、第１のテーブル構成において他のＭＣＳテーブルおよびＣＱＩテーブルを使用することも可能である。これらの例において、第１のＭＣＳテーブルおよび第１のＣＱＩテーブルによってサポートされる最大変調次数は、６４ＱＡＭに対応する、Ｑｍ＝６であることがわかる。
【００２２】
例えばＵＥからのＣＱＩレポートに基づき、第１のテーブル構成の最大変調次数よりも次数の高いより高次の変調次数が上記の通信において使用できる可能性があることを検出すると、無線ノードは、ＵＥに対し、このより高次の変調次数をサポートする第２のテーブル構成を適用するよう命令する。第２のテーブル構成は、より高次の変調次数をサポートする追加エントリを有する第２のＭＣＳテーブルおよび／または第２のＣＱＩテーブルを含んでいる。第２のテーブル構成におけるこのようなテーブルをどのように設定することができるかについては、後ほど例を取り上げてさらに詳しく説明する。本解決策において、第１のテーブル構成のテーブルの少なくとも１つの変調次数に対する少なくとも１つのエントリは、第２のテーブル構成が適用されているときの、第１のテーブル構成の前記少なくとも１つの変調次数を使用することが望ましいか、それどころか必要になった場合のフォールバックとして、具体的には、無線状態が悪化し、無線接続を維持するためには第１のテーブル構成の前記少なくとも１つの変調次数、例えば最小変調次数しか使用することができないような場合のフォールバックとして、維持すなわち保持される。
【００２３】
ここで、ＬＴＥによるリンクアダプテーションが概ねどのように実現され得るのかを説明する。
【００２４】
ＬＴＥにおけるダウンリンクデータ送信では、図１に示すように、通常、無線ノードが、ＵＥによってアップリンクで送信されるＣＱＩフィードバックに応じてＭＣＳを選択する。ＣＱＩフィードバックは、現在のチャネル状態および可能なデータレートを示し、より具体的には、現在のチャネル状態およびＵＥ受信器を前提としてダウンリンクチャネルによってサポートされ得る変調符号化方式（ＭＣＳ）を示す。
【００２５】
ＬＴＥ規格は、無線ノードとＵＥとの間のシグナリングを提供するように設計されている。ダウンリンクでは、ＰＤＳＣＨ送信に採用されたＭＣＳに関する情報が、無線ノードからＵＥへ送信されるダウンリンク制御情報（ＤＣＩ）内の５ビットのフィールドによって示される。このＭＣＳフィールドは、図２のＭＣＳインデックステーブルに対応している。このテーブルには３２の組合せまたはエントリのための余地がある。このうち２９個のエントリは採用されたＭＣＳを通知するために用いられ、その各エントリが変調次数およびトランスポートブロックサイズ（ＴＢＳ）に対応しており、３個のエントリは、例えば適応再送信をサポートするために予備にされている。可能なすべてのＴＢＳは、ＴＢＳインデックス（ＩＴＢＳ）および割当て帯域幅を、対応するトランスポートブロックサイズ（ビット単位）にマッピングするＴＢＳテーブルによって表すことができる。
【００２６】
アップリンクにおいて、ＵＥは、サービング無線ノードがダウンリンク送信に適用される適切なＭＣＳを選択する際の助けとなるように、ＣＱＩを報告する。ＣＱＩは、通常、サービング無線ノードによって送信されたダウンリンク参照信号に対してＵＥが実施した測定から導出される。例えば、報告されたＣＱＩは、例えばトランスポートブロック誤り率の見込みが１０％以下となるＰＤＳＣＨ送信のためにサポートされるＭＣＳの最大値を示し得る。ＣＱＩは、図３に示す事前定義されたＣＱＩインデックステーブルに関してＵＥから無線ノードへ通知される。４ビットのＣＱＩ値は、ＣＱＩインデックステーブル内のＣＱＩインデックス０〜１５に対応する１６の組合せのうち、特定のＭＣＳに対応している。ＣＱＩテーブルは、トランスポートブロックサイズではなく、符号化率に対してパラメータ化されていることに注目すべきである。したがって、選択されて通知されたＣＱＩは、ＵＥにおいて測定されるブロック誤り率が１０％以下となる変調符号化率の最大値を示す。無線ノードは、ＵＥからのＣＱＩフィードバックおよび他の情報に基づき、ＭＣＳテーブルから適切なＭＣＳインデックスを選択し、これによりＭＣＳシグナリングによってＵＥに通知することができる。
【００２７】
現行のＬＴＥシステムでは、ダウンリンクとアップリンクの両方に対して、ＱＰＳＫ、１６ＱＡＭ、および６４ＱＡＭの３つの変調方式をサポートしている。このため、ＭＣＳインデックステーブル、ＣＱＩインデックステーブル、およびＤＣＩ内の対応する通知用フィールドは、この３つの変調方式向けに設計されている。しかし、現行のＬＴＥ規格ではより高次の変調方式がサポートされていない。より高次の変調、すなわち上記のＱＰＳＫ、１６ＱＡＭ、および６４ＱＡＭ方式よりも高次の変調をサポートするためには、ＵＥが、新しい変調方式専用のエントリも含む追加のＭＣＳ／ＣＱＩテーブルをサポートする必要がある。ＭＣＳ／ＣＱＩテーブルを修正すると、ＤＣＩフォーマット、さらに場合によってはアップリンク制御情報（ＵＣＩ）のフォーマットの再設計も必要となることがある。
【００２８】
通常、追加のＭＣＳ／ＣＱＩテーブルは、信号品質が高いためにより高次の変調の使用が可能となる状況、つまり信号対雑音比（ＳＮＲ）またはＳＩＮＲが高い場合に用いられる。一方、ＳＮＲまたはＳＩＮＲが比較的低い状況では、ＱＰＳＫ、１６ＱＡＭ、および６４ＱＡＭをサポートする現行のＭＣＳ／ＣＱＩテーブルがリンクのロバスト性を確保する上で有用である。ゆえに、以下のようにチャネル状態に基づいて適切なＭＣＳ／ＣＱＩテーブルを採用する、柔軟性を備えた解決策が考案された。
【００２９】
上述のように、現行のＬＴＥシステムは最大６４ＱＡＭの変調しかサポートしていないが、信号品質が許すならば、例えば２５６ＱＡＭといったより高次の変調を使用してデータレートを増加させることが望ましいだろう。より高次の変調をサポートするには、ＭＣＳインデックステーブル、ＣＱＩインデックステーブル、およびＤＣＩ／ＵＣＩ内の対応するフィールドに関して、現行の制御シグナリングに対する適応化および／または拡張が必要となる。このような課題は、本明細書において説明する実施形態によって解決することができる。
【００３０】
本開示では、ＬＴＥシステムに利用可能であり、また図２および図３にそれぞれ示すＭＣＳインデックステーブルおよびＣＱＩインデックステーブルの現行の設計など、基本のＭＣＳおよびＣＱＩテーブルに加えてサポートされ得る、より高次の変調をサポートするＭＣＳインデックステーブルおよび／またはＣＱＩインデックステーブルの代替設計について説明する。
【００３１】
現行のＬＴＥ規格におけるＭＣＳおよびＣＱＩテーブルは、例えば図２および図３に示すように最大６４ＱＡＭの変調方式をサポートしている。提案される新しいＭＣＳおよびＣＱＩインデックステーブルは、ＤＣＩ／ＵＣＩフォーマットにおけるビット数またはＭＣＳテーブルおよびＣＱＩテーブルにおけるそれぞれのエントリの数を必ずしも拡張しなくても、６４ＱＡＭよりも高次の変調をサポートすることができる。本解決策では、例えば高ＳＩＮＲの状況、より一般的に言えば、無線ノードとＵＥとの間で伝達される信号のＳＩＮＲなどのパフォーマンス関連パラメータが一定のしきい値を上回ったとき、より高次の変調方式を選択することが可能である。
【００３２】
新しいＭＣＳ／ＣＱＩテーブルには、高ＳＩＮＲ領域をカバーするのに十分な分解能を提供するように設計された、より高次の変調用の新しいエントリが追加されている。一方で現行のＭＣＳおよび／またはＣＱＩテーブルにおける既存エントリの大部分を残すことができる。第１のテーブル構成に現行のＭＣＳおよび／またはＣＱＩテーブルが含まれるようにし、第２のテーブル構成により高次の変調をサポートする新しいＭＣＳおよび／またはＣＱＩテーブルが含まれるようにすることができる。このようにすると、ＵＥおよび無線ノードが実装しなければならない新しいＭＣＳ／ＣＱＩフォーマットの数を最小限に抑えられるという利点がある。言い換えれば、ＵＥおよび無線ノードは、より高次の変調を可能にするために、第２のテーブル構成のＭＣＳテーブルおよび／またはＣＱＩテーブルを１つ余分にサポートするだけで済む。
【００３３】
可能な一実施形態では、ＭＣＳテーブル内の少なくとも１つのＭＣＳエントリ、例えばＭＣＳインデックス０である最小のＭＣＳエントリおよび／またはＣＱＩテーブル内の少なくとも１つのＣＱＩエントリ、例えばＣＱＩインデックス１である最小変調次数の最小符号化率に対する最小のＣＱＩエントリは、基本のＭＣＳおよび／またはＣＱＩテーブルからそのまま残される、すなわち維持されるため、劣悪なチャネルまたは無線状態下においても無線ノードとＵＥとの間の適正な通信が確保される。したがって、第２のテーブル構成が適用されているときに、より高次の変調次数よりも次数の低い変調次数、例えば最小変調次数の使用のみが可能であるか、または望ましい場合に、フォールバックが提供される。このようにして、チャネルまたは無線状態が変化している場合に柔軟性およびロバスト性が提供されると共に、例えば信号制御プレーンデータに対して堅牢なフォーマットが提供され、および／またはＵＥは基本のＭＣＳおよび／またはＣＱＩテーブルを劣悪な／通常のチャネルまたは無線状態に適しているとみなすように再設定される。本明細書において説明する実施形態を用いることにより、ＬＴＥシステムにおけるリンク適応を拡張して、例えば高ＳＩＮＲの状況においては周波数利用効率の大幅な改善を可能にしつつ、無線状態が悪化した場合はロバスト性を維持するようなより高次の変調方式をサポートすることができる。
【００３４】
本開示では、様々な例示的実施形態を説明するのに３ＧＰＰ  ＬＴＥの用語を使用しているが、これは前述のシステムにのみ使用範囲を限定しているとみなされるべきではないことに留意されたい。ＷＣＤＭＡ、ＷｉＭＡＸ、およびウルトラモバイルブロードバンドすなわちＵＭＢを含む他の無線システムもまた、本明細書において説明する実施形態を利用することによる恩恵を享受し得る。
【００３５】
無線ノードなどの用語は非限定的とみなされるべきであり、概して「無線ノード」はデバイス１とみなすことができ、「ＵＥ」はデバイス２とみなすことができ、これら２つのデバイスは本明細書において説明するように何らかの無線チャネルを介して相互に通信可能であることにも留意すべきである。
【００３６】
以下に、いくつかの例示的な実施形態により本解決策についてさらに詳しく説明する。これらの実施形態は相互排他的ではないことに留意すべきである。ある実施形態のコンポーネントは、適切な場合、別の実施形態において利用することができる。
【００３７】
図２および図３にそれぞれ、現行のＬＴＥ規格で用いられているＭＣＳインデックステーブルおよびＣＱＩインデックステーブルを示す。次に、代替のＭＣＳおよびＣＱＩインデックステーブルの可能な設計、ならびに無線ノードおよびＵＥが、第２のテーブル構成の新たに提案されたＭＣＳ／ＣＱＩテーブルと第１のテーブル構成のＭＣＳ／ＣＱＩテーブルとの間で切替えを行うことができるメカニズムについて説明する。本解決策は、本明細書において説明するＭＣＳ／ＣＱＩテーブルの特定の例に限定されないこと、さらにいかなるＭＣＳ／ＣＱＩテーブルも本明細書において説明する実施形態に従って使用され得ることに留意すべきである。
【００３８】
次に、図４の流れ図を参照しながら、本解決策が用いられる際にセルラネットワークの無線ノードによって実行される手順の例を説明する。無線ノードに適用し得る、可能であるが非限定的ないくつかの実施形態についても説明する。この手順において、無線ノードはＵＥとの無線通信において第１のテーブル構成を適用するように動作可能であり、第１のテーブル構成は第１のＭＣＳテーブルと第１のＣＱＩテーブルの少なくとも一方を含み、第１のＭＣＳテーブルと第１のＣＱＩテーブルの前記少なくとも一方は特定の最大変調次数をサポートするものとする。上述のように、現在用いられているＭＣＳ／ＣＱＩテーブルによってサポートされる最大変調次数は、６４ＱＡＭに対応するＱｍ＝６であり、現在用いられているＭＣＳ／ＣＱＩテーブルは本解決策における第１のテーブル構成として制限なく使用され得る。
【００３９】
最初のアクション４００において、無線ノードは、第１のテーブル構成の最大変調次数よりも次数の高いより高次の変調次数が無線ノードと第１のＵＥとの間の無線通信に使用できる可能性があることを検出する。例えば、当該状況は、無線ノードと第２のＵＥとの間で伝達される信号のＳＩＮＲなどのパフォーマンス関連パラメータが一定のしきい値を上回ったときに検出され得る。
【００４０】
もう１つのアクション４０２は、無線ノードが第１のＵＥに対し、前記無線通信において第２のテーブル構成を適用するよう命令することを示す。第２のテーブル構成は、第２のＭＣＳテーブルと第２のＣＱＩテーブルの少なくとも一方を含み、第２のＭＣＳテーブルと第２のＣＱＩテーブルのこの少なくとも一方はより高次の変調次数をサポートする。さらに、第１のＭＣＳテーブルと第１のＣＱＩテーブルのこの少なくとも一方における少なくとも１つの変調次数に対する少なくとも１つのエントリは、第２のテーブル構成が適用されているときの、第１のＭＣＳテーブルと第１のＣＱＩテーブルの前記少なくとも一方における前記少なくとも１つの変調次数を使用することが望ましい場合のフォールバックとして、第２のＭＣＳテーブルと第２のＣＱＩテーブルの前記少なくとも一方において維持される。言い換えれば、第２のＭＣＳテーブルと第２のＣＱＩテーブルの前記少なくとも一方は、このようなフォールバックを提供するために、第１のＭＣＳテーブルと第１のＣＱＩテーブルの前記少なくとも一方にも含まれている少なくとも１つの変調次数、例えば最小変調次数に対する少なくとも１つのエントリを含んでいる。例えばＵＥからのＣＱＩレポートによって示されるような信号品質が突然劣化し、ロバスト性を確保するためには最小変調次数よりも高次の変調次数は使用に適さないか、または使用不可能である場合に、このようなフォールバックが望ましく、また必要でもあり得る。
【００４１】
可能な一実施形態において、無線ノードは、無線ノードと第１のＵＥとの間で伝達される信号のパフォーマンス関連パラメータがしきい値を上回ったとき、第１のＵＥに対し、無線ノードと第１のＵＥとの間の無線通信において第２のテーブル構成を適用するよう命令してもよい。このパフォーマンス関連パラメータは、無線ノードによって送信されたダウンリンク参照信号の測定値が含まれる、第１のＵＥによって提供されたＣＱＩレポートから導出されてもよい。
【００４２】
可能な別の実施形態において、無線ノードは、無線ノードと第２のＵＥとの間で伝達される信号のパフォーマンス関連パラメータがしきい値を下回ったとき、第２のＵＥに対し、無線ノードと第２のＵＥとの間の無線通信において第１のテーブル構成を適用するよう命令してもよい。さらに可能な一実施形態において、この場合に、無線ノードは第２のＵＥに対し、第２のＵＥへ命令を送信することにより第１のテーブル構成を適用するよう明示的に命令し、または第２のＵＥへ第１のテーブル構成を適用すべきであると示す命令を送信しないことにより、第２のテーブル構成を適用するよう黙示的に命令してもよい。無線ノードはさらに、無線ノードと第１のＵＥとの間で伝達される信号のパフォーマンス関連パラメータがしきい値を下回った場合は、第１のＵＥに対し、第１のテーブル構成を再び適用するよう命令してもよい。後者の実施形態のいずれにおいても、パフォーマンス関連パラメータは信号対干渉雑音比（ＳＩＮＲ）を含み得る。
【００４３】
第２のテーブル構成のＭＣＳおよびＣＱＩインデックステーブルは、第１のテーブル構成のＭＣＳおよびＣＱＩインデックステーブル、例えば、図２および図３に示すテーブルを、現在の最大変調次数を上げることができるように修正することによって作成できることは、既に述べたとおりである。これは、余分なシグナリングビットを何ら必要とせずに実現可能である。可能な一実施形態において、第２のＭＣＳテーブルと第２のＣＱＩテーブルの前記少なくとも一方は、それぞれ対応する第１のＭＣＳテーブルと第１のＣＱＩテーブルの前記少なくとも一方の修正とすることができ、前記第２のＭＣＳテーブルと前記第２のＣＱＩテーブルの前記少なくとも一方で、前記より高次の変調次数のエントリのセットが追加され、かつ第１のＭＣＳテーブルと第１のＣＱＩテーブルの前記少なくとも一方における前記少なくとも１つの変調次数のエントリのセットがそれぞれ対応する第２のテーブルにおいて削除されている。可能な別の実施形態において、第１のＭＣＳテーブルと第１のＣＱＩテーブルの前記少なくとも一方における前記少なくとも１つの変調次数は、第１のテーブル構成の最小変調次数を含んでいてもよい。第１のＭＣＳテーブルおよび第１のＣＱＩテーブルに対する上述の修正をどのように行うことができるかについては、図８および図９の例を参照しながら後ほどさらに詳しく説明する。
【００４４】
第１のＭＣＳテーブルと第１のＣＱＩテーブルの前記少なくとも一方における少なくとも１つの変調次数、例えば最小変調次数に対する少なくとも１つのエントリは、第２のテーブル構成を使用している間に信号品質が劣化した場合のフォールバックとして、第２のＭＣＳテーブルと第２のＣＱＩテーブルの前記少なくとも一方において維持、すなわち保持されることも、既に述べたとおりである。可能な別の実施形態において、第１のＭＣＳテーブル内の最小変調次数に対する最初のエントリは、第２のＭＣＳテーブル内にフォールバックとして維持されてもよく、また第１のＣＱＩテーブル内の最小変調次数の最小符号化率に対するエントリは、第２のＣＱＩテーブル内にフォールバックとして維持されてもよい。この実施形態については、以下で後ほどさらに詳しく示す。
【００４５】
可能な別の実施形態において、第１のＭＣＳテーブルと第２のＭＣＳテーブルとが等しいサイズとなり、かつ／または第１のＣＱＩテーブルと第２のＣＱＩテーブルとが等しいサイズとなるように、より高次の変調次数の追加されるエントリの数と最小変調次数の削除されるエントリの数とが等しくなるようにしてもよい。このようにすることで、第１のテーブル構成に加えて第２のテーブル構成をサポートするために、ＭＣＳおよび／またはＣＱＩのシグナリングにおいてそれぞれ余分なビットが必要とされない。
【００４６】
可能な別の実施形態において、第２のＭＣＳテーブルと第２のＣＱＩテーブルの前記少なくとも一方は、それぞれ対応する第１のＭＣＳテーブルと第１のＣＱＩテーブルの前記少なくとも一方の修正とすることができ、前記第２のＭＣＳテーブルと前記第２のＣＱＩテーブルの前記少なくとも一方で、第１のＭＣＳテーブルと第１のＣＱＩテーブルの前記少なくとも一方のすべてのエントリが、第２のＭＣＳテーブルと第２のＣＱＩテーブルの前記少なくとも一方において維持、すなわち保持され、かつ前記より高次の変調次数のエントリのセットが追加されている。さらに可能な一実施形態において、第１のテーブル構成および第２のテーブル構成はそれぞれ、第１のＭＣＳテーブルおよび第２のＭＣＳテーブルに対応するトランスポートブロックサイズ（ＴＢＳ）テーブルをさらに含んでいてもよい。ＴＢＳテーブルは、ＴＢＳインデックスすなわちＩＴＢＳおよび割当て帯域幅を、対応する、例えばビット数で与えられるトランスポートブロックサイズにマッピングしたものである。
【００４７】
図５のブロック図は、無線ノードの上述の機能を実行するために、無線ノードがモジュール、回路、またはユニットなどのいくつかの可能な機能エンティティでどのように構成され得るか、その詳細ながら非限定的な例を示している。この図で、無線ノード５００はＵＥとの無線通信において第１のテーブル構成を適用するように動作可能であり、第１のテーブル構成は、第１の変調符号化方式（ＭＣＳ）テーブルと第１のチャネル品質指標（ＣＱＩ）テーブルの少なくとも一方を含み、第１のＭＣＳテーブルと第１のＣＱＩテーブルの前記少なくとも一方は特定の最大変調次数をサポートする。
【００４８】
無線ノード５００は、上記および下記のように本解決策を用いる任意の例および実施形態に従って動作するように設定されてよい。特に、無線ノード５００は、図４の流れ図および適切な場合は上述の実施形態のアクションを実行するように構成または設定された手段を備えていてよい。このいずれをも実行するために、無線ノード５００は、通信回路Ｃ、メモリＭ、および以下に説明する様々な機能部を備えた動作可能なプロセッサＰで実現され得る。
【００４９】
より具体的には、無線ノード５００は、第１のテーブル構成の最大変調次数よりも次数の高いより高次の変調次数が無線ノード５００と第１のＵＥ５０２との間の無線通信に使用できる可能性があることを検出するように設定された、論理部５００ａなどの手段を備えている。この検出動作は、上記のアクション４００で説明したように実行されてよい。
【００５０】
無線ノード５００は、第１のＵＥ５０２に対し、前記無線通信において第２のテーブル構成を適用するよう命令するように設定された、命令部５００ｂなどの手段もまた備えており、第２のテーブル構成は第２のＭＣＳテーブルと第２のＣＱＩテーブルの少なくとも一方を含み、第２のＭＣＳテーブルと第２のＣＱＩテーブルの前記少なくとも一方は前記より高次の変調次数をサポートし、かつ第１のＭＣＳテーブルと第１のＣＱＩテーブルの前記少なくとも一方における少なくとも１つの変調次数に対する少なくとも１つのエントリは、第２のテーブル構成が適用されているときの、第１のＭＣＳテーブルと第１のＣＱＩテーブルの前記少なくとも一方における、前記少なくとも１つの変調次数を使用することが望ましい場合のフォールバックとして、第２のＭＣＳテーブルと第２のＣＱＩテーブルの前記少なくとも一方において維持される。この命令動作は、上記のアクション４０２で説明したように実行されてよい。
【００５１】
次に、図６の流れ図を参照しながら、本解決策が用いられる際にＵＥによって実行される手順の例を説明する。この手順において、ＵＥはセルラネットワークの無線ノードとの無線通信において第１のテーブル構成を適用するように動作可能であり、第１のテーブル構成は第１の変調符号化方式（ＭＣＳ）テーブルと第１のチャネル品質指標（ＣＱＩ）テーブルの少なくとも一方を含み、第１のＭＣＳテーブルと第１のＣＱＩテーブルの前記少なくとも一方は特定の最大変調次数をサポートするものとする。
【００５２】
最初のアクション６００は、ＵＥが前記無線通信において第２のテーブル構成を適用する命令を無線ノードから受信することを示し、第２のテーブル構成は第２のＭＣＳテーブルと第２のＣＱＩテーブルの少なくとも一方を含み、第２のＭＣＳテーブルと第２のＣＱＩテーブルの前記少なくとも一方は、第１のテーブル構成の最大変調次数よりも次数の高いより高次の変調次数をサポートする。もう１つのアクション６０２では、ＵＥは無線ノードとの無線通信において第２のテーブル構成を適用する。このアクションは、第２のテーブル構成に従って、第２のＭＣＳテーブルに関して無線ノードからＭＣＳシグナリングを受信することおよび／または第２のＣＱＩテーブルに関して無線ノードへＣＱＩレポートを送信することを含んでいてもよい。
【００５３】
図７のブロック図は、ＵＥの上述の機能を実行するために、ＵＥがモジュール、回路、またはユニットなどのいくつかの可能な機能エンティティでどのように構成され得るか、その詳細ながら非限定的な例を示している。この図で、ＵＥ７００はセルラネットワークのサービング無線ノード７０２との無線通信において第１のテーブル構成を適用するように動作可能であり、第１のテーブル構成は第１の変調符号化方式（ＭＣＳ）テーブルと第１のチャネル品質指標（ＣＱＩ）テーブルの少なくとも一方を含み、第１のＭＣＳテーブルと第１のＣＱＩテーブルの前記少なくとも一方は特定の最大変調次数をサポートする。
【００５４】
ＵＥ７００は、上記および下記のように本解決策を用いる任意の例および実施形態に従って動作するように設定されてよい。特に、ＵＥ７００は、図６の流れ図のアクションを実行するように構成または設定された手段を備えていてよい。このいずれをも実行するために、ＵＥ７００は、通信回路Ｃ、メモリＭ、および以下に説明する様々な機能部を備えた動作可能なプロセッサＰで実現され得る。
【００５５】
より具体的には、ＵＥ７００は、前記無線通信において第２のテーブル構成を適用する命令を無線ノード７０２から受信するように設定された、通信部７００ａなどの手段を備え、第２のテーブル構成は第２のＭＣＳテーブルと第２のＣＱＩテーブルの少なくとも一方を含み、第２のＭＣＳテーブルと第２のＣＱＩテーブルの前記少なくとも一方は、第１のテーブル構成の最大変調次数よりも次数の高いより高次の変調次数をサポートする。ＵＥ７００は、無線ノード７０２との無線通信において第２のテーブル構成を適用するように設定された論理部７００ｂなどの手段も備えている。これは図中に、ＵＥ７００が、第２のテーブル構成に従って、第２のＭＣＳテーブルに関して無線ノード７０２からＭＣＳシグナリングを受信することおよび／または第２のＣＱＩテーブルに関して無線ノード７０２へＣＱＩレポートを送信することによって示されている。
【００５６】
図５および図７はそれぞれ無線ノード５００およびＵＥ７００における様々な機能部を例示したものであり、当業者であれば、適切なソフトウェアおよびハードウェアを使用して、これらの機能部を実際に実現できることに留意すべきである。したがって、本解決策は、上位概念的に言えば、無線ノード５００およびＵＥ７００の図示した構造に限定されるものではなく、機能部５００ａ〜ｂおよび７００ａ〜ｂは、適切な場合、本開示において説明するいずれの特徴にも従って動作するように設定され得る。
【００５７】
上述の機能部５００ａ〜ｂおよび７００ａ〜ｂは、無線ノード５００およびＵＥ７００それぞれにおいて、各ノード内のプロセッサＰによって実行されたときに無線ノード５００およびＵＥ７００に上記のアクションおよび手順を実行させるコード手段を含むそれぞれのコンピュータプログラムのプログラムモジュールによって、実現することができる。各プロセッサＰは単一の中央処理装置（ＣＰＵ）を備えていてもよいし、または２つ以上の処理装置を備えていてもよい。例えば、各プロセッサＰは、汎用マイクロプロセッサ、命令セットプロセッサおよび／もしくは関連するチップセット、ならびに／または特定用途向け集積回路（ＡＳＩＣ）などの特定目的マイクロプロセッサを備えていてもよい。各プロセッサＰはまた、キャッシング目的の記憶域を備えていてもよい。
【００５８】
各コンピュータプログラムは、コンピュータ可読媒体を有し、かつプロセッサＰに接続されているメモリの形態で、無線ノード５００およびＵＥ７００のそれぞれにおけるコンピュータプログラム製品によって保持されてもよい。したがって、無線ノード５００およびＵＥ７００のそれぞれにおけるコンピュータプログラム製品またはメモリＭは、コンピュータプログラムが例えばコンピュータプログラムモジュールなどの形態で格納されている、コンピュータ可読媒体を含んでいてもよい。例えば、各ノードにおけるメモリＭは、フラッシュメモリ、ランダムアクセスメモリ（ＲＡＭ）、読み出し専用メモリ（ＲＯＭ）、またはＥｌｅｃｔｒｉｃａｌｌｙ  Ｅｒａｓａｂｌｅ  Ｐｒｏｇｒａｍｍａｂｌｅ  ＲＯＭ（ＥＥＰＲＯＭ）であってもよく、プログラムモジュールは、代替実施形態において、異なるコンピュータプログラム製品上に無線ノード５００およびＵＥ７００それぞれの内部のメモリの形態で分散させることもできる。
【００５９】
本明細書において説明する解決策は、少なくとも１つのプロセッサ上で実行されたときに、前記少なくとも１つのプロセッサに上記の任意の実施形態に従うアクションを実行させる命令を含む、コンピュータプログラムによって、無線ノード５００およびＵＥ７００それぞれにおいて実現することができる。本解決策は、無線ノード５００およびＵＥ７００それぞれにおける、上記のコンピュータプログラムが含まれているキャリアにおいても実現することができ、このキャリアは、電子信号、光信号、無線信号、またはコンピュータ可読記憶媒体の１つである。
【００６０】
次に、図２および図３に示す第１のＭＣＳおよびＣＱＩテーブルをどのように修正して、図８の修正ＭＣＳテーブルおよび図９の修正ＣＱＩテーブルに例示した第２のＭＣＳおよびＣＱＩテーブルを作成することができるかについて、さらに詳しく説明する。
【００６１】
ＭＣＳインデックステーブル
１つの実例において、上述の第１のテーブル構成の第１のＭＣＳテーブルは、図１のＵＥ１などの１つのＵＥに対するダウンリンク送信に用いられ、図１のＵＥ２などの別のＵＥに対するダウンリンク送信には、上述の第２のテーブル構成の第２のＭＣＳテーブルが用いられる。
【００６２】
別の実例において、第１のＭＣＳテーブルは、図２に示すような、規格に準拠した第１のテーブル構成の現行のＭＣＳテーブルであり、第２のＭＣＳテーブルは、第１のＭＣＳテーブルによってサポートされる最大変調次数よりも次数の高い変調次数をサポートする第２のテーブル構成の新しい修正ＭＣＳテーブルである。すなわち、第２のＭＣＳテーブルにはより高次の変調のエントリが含まれている。図８に、図２の第１のＭＣＳテーブルを修正した第２のＭＣＳテーブルの例を示す。
【００６３】
別の実例において、無線ノードは、ＤＬ送信に現行のＭＣＳテーブルまたは提案された代替ＭＣＳテーブルのいずれかを使用することができる。さらなる例において、使用対象となるＭＣＳテーブルに関する情報は、通常は特定の単一のサブフレームに適用されるＤＣＩメッセージの一部とすることもできるし、または、通常は別途通知があるまで適用される、無線リソース制御、ＲＲＣメッセージまたは媒体アクセス制御、ＭＡＣメッセージの一部とすることもできる。
【００６４】
別の実例において、第２のテーブル構成の提案されたＭＣＳインデックステーブルには、３２＋Ｎ行が含まれていてもよい。Ｎは、０以上の（非負）整数である。このテーブルの列は、図２に示すＭＣＳインデックステーブルの列と同じパラメータを表しており、ＭＣＳインデックスＩＭＣＳ、変調次数Ｑｍ、およびＴＢＳインデックスＩＴＢＳを含んでいる。１つのＭＣＳに対応する、テーブルの各列または各エントリには、ＭＣＳインデックスＩＭＣＳによって索引付けがされており、変調次数とＴＢＳインデックスの特定の組合せが含まれている。
【００６５】
別の実例において、第２のテーブル構成の提案されたＭＣＳインデックステーブルでＭ行、すなわちＭ個のＭＣＳインデックスを使用して、１つのより高次の変調方式および１つのＴＢＳインデックスのペアを含むＭＣＳを示してもよい。ここでＭはＭ＞Ｎの非負整数とする。
【００６６】
別の実例において、図２の３２＋Ｎ−Ｍ個のＭＣＳエントリが第２のテーブル構成の新しいＭＣＳテーブルで再利用されてもよい。つまり、図２のＭ−Ｎ個のＭＣＳエントリを新しいＭＣＳテーブルに含めないようにする。
【００６７】
規格における現行のＴＢＳテーブルは、３ＧＰＰ  ＴＳ  ３６．２１３  Ｖ１１．２．０（２０１３−０４）という文書のＴａｂｌｅ  ７．１．７．２．１−１に示されている。別の例において、このＭ−Ｎ個のＭＣＳに含まれるＴＢＳインデックスに対応するＴＢＳ値の行を、第１のテーブル構成のＴＢＳテーブルから削除してもよい。一方で、このＴＢＳテーブルには、より高次の変調のＭ個のＭＣＳに対応するＴＢＳ値の新たなＭ行が追加される。
【００６８】
さらなる実例において、Ｎ＝０のとき、第２のテーブル構成の新しいＭＣＳテーブルは図２のＭＣＳテーブルと同じサイズを保つことになり、図２のＭ個のＭＣＳが図８のより高次の変調に対するＭ個のＭＣＳに置き換わる。さらなる例において、ＭＣＳインデックス０に対応する最小ＭＣＳは、図８の第２のテーブル構成の新しいＭＣＳテーブルに残されて、すなわち保持されてもよい。さらなる例において、後続のＭ個の最小ＭＣＳ（ＭＣＳインデックス１からＭに対応）は、第２のテーブル構成の新しいＭＣＳテーブルから除外してもよい。図８に、このような新しいＭＣＳテーブルの例を示す。図２と比較すると、図８では、変調次数２（ＱＰＳＫ）に対するインデックス１から６のＭＣＳが削除されているのに対し、最小ＭＣＳは残されている。代わりに、図８のＭＣＳテーブルには、変調次数８（２５６ＱＡＭ）に対する６個のＭＣＳが追加されている。
【００６９】
第２のテーブル構成のＴＢＳテーブルを作成するために、削除されるＭＣＳおよび追加されるＭＣＳに対応するＴＢＳ値の行を、第１のテーブル構成のＴＢＳテーブルにおいて然るべく削除し、また追加しなければならない。他のＭＣＳエントリは新しいＭＣＳテーブルで再利用され、このテーブルのインデックスは再編成、すなわち最初から番号の付け直しが行われる。図１０は、第２のテーブル構成の提案されたＴＢＳテーブルの例を示しており、テーブル寸法は２７＊１１０、図９のテーブルに対応する２５６ＱＡＭのインデックス２１〜２６が設定されている。ここで「ＮＶ」は新しい値を示す。図１０に示す例では、ＱＰＳＫに対するインデックス１〜６の行が削除され、２５６ＱＡＭに対するＴＢＳ値の新たな６行がテーブル末尾に追加されている。第２のテーブル構成のこの新しいＴＢＳテーブルは、第２のテーブル構成の新しいＭＣＳテーブルにおけるＴＢＳインデックスと整合していなければならない。
【００７０】
次に図１０についてさらに詳しく説明する。図１０は、規格３６．２１３  Ｔａｂｌｅ  ７．１．７．２．１−１におけるトランスポートブロックサイズテーブルを示す。トランスポートブロックサイズ、すなわち１個のトランスポートブロックで搬送されるビット数は、採用されたＭＣＳと、このテーブルにおいてＮＰＲＢで示されるリソースブロックペアの番号の両方によって決まる。ＭＣＳテーブルのＭＣＳインデックスごとに、１〜１１０の１００通りのＰＲＢ番号が存在し得る。このため、ＴＢＳテーブルは、ＭＣＳテーブルに対して１対１写像ではないものの、相異なるＭＣＳに対応する１１０列、２７行のサイズをもつ。２５６ＱＡＭの新しいＭＣＳインデックスを追加する場合は、２５６ＱＡＭのＴＢＳエントリも計算して指定する必要がある。したがって、新しいＭＣＳテーブルでは、２５６ＱＡＭの新しいエントリに、対応する新しいＴＢＳ値のＴＢＳインデックスが含まれていなければならない。
【００７１】
別の実例において、最小ＭＣＳ、すなわち、図２に示す第１のテーブル構成のＭＣＳテーブル内のＭＣＳインデックス０のエントリは、第２のテーブル構成の新しいＭＣＳテーブルで再利用してもよい。これは、無線リンクが低ＳＩＮＲの状況などと言われる非常に劣悪なチャネル状態下にあっても、無線ノードとＵＥとの間の通信が適正に機能するように保証するためである。
【００７２】
別の実例において、第２のテーブル構成の新しいＭＣＳテーブルが用いられており、送信のために最小ＭＣＳのエントリが選択されたとき、これは、チャネル品質のばらつき、劣悪な無線状態、または他の問題により、より高次の変調をサポートするのが難しいこと、およびより堅牢なＭＣＳが必要とされていることを示している。したがって、次の送信に用いられるＭＣＳテーブルは、第１のテーブル構成の第１のＭＣＳテーブルに自動的にフォールバックして、例えば最小変調次数のエントリのいずれの選択も可能になるようにしてもよい。その第１のＭＣＳテーブルは、制限なく現行標準のＭＣＳテーブルであってよい。
【００７３】
別の実例において、ＤＣＩ内のＭＣＳフィールドは、Ｎ＞０のとき、すなわち、第２のテーブル構成の新しいＭＣＳテーブルに３２個を超えるＭＣＳインデックスがある場合、ＭＣＳインデックスを示すために１つまたは複数のビット分拡張してもよい。しかし、ＭＣＳテーブルをこのように拡張すると、ＤＣＩ内に１つまたは複数の余分なビットが必要になる。
【００７４】
ＣＱＩインデックステーブル
第２のテーブル構成の新しい、すなわち第２のＣＱＩインデックステーブルの設計は、第２のテーブル構成の新しい、すなわち第２のＭＣＳインデックステーブルの設計と類似している。
【００７５】
１つの実例において、第１のテーブル構成の第１のＣＱＩテーブルは第１のＵＥから無線ノードへの無線送信に用いられ得るのに対し、第２のＵＥから無線ノードへの無線送信には第２のテーブル構成の第２のＣＱＩテーブルが用いられ得、逆もまた真である。
【００７６】
別の実例において、この第１のＣＱＩテーブルおよび第２のＣＱＩテーブルはそれぞれ、規格に準拠した現行のＣＱＩテーブル、およびより高次の変調のエントリが含まれている修正ＣＱＩテーブルである。図９に、図３の第１のテーブル構成の第１のＣＱＩテーブルを修正した第２のテーブル構成の第２のＣＱＩテーブルの例を示す。
【００７７】
別の実例において、ＵＥは、送信に第１のテーブル構成の現行のＣＱＩテーブルまたは第２のテーブル構成の新しいＣＱＩテーブルのいずれかを使用することができる。さらなる例において、使用対象となるＣＱＩテーブルに関する情報は、ＵＣＩメッセージの一部とすることもできるし、またはＲＲＣもしくはＭＡＣメッセージの一部とすることもできる。
【００７８】
別の実例において、第２のテーブル構成の提案されたＣＱＩテーブルには、１６＋Ｎ行が含まれ、Ｎは、０以上の非負整数である。この新しいＣＱＩテーブルの列は、図３に示すＣＱＩテーブルの列と同じパラメータを表しており、ＣＱＩインデックス、変調形式、符号化率、および効率を含んでいる。テーブルの各列または各エントリ、すなわち１つのＣＱＩには、ＣＱＩインデックスによって索引付けがされており、変調次数と符号化率の特定の組合せが含まれている。効率の値は変調次数および符号化率に基づいて計算される。
【００７９】
別の実例において、第２のテーブル構成の提案されたＣＱＩインデックステーブルでＭ行、すなわちＭ個のＣＱＩインデックスを使用して、１つのより高次の変調方式、１つの符号化率、および求められた効率値のペアを含むＣＱＩが示される。ここでＭはＭ＞Ｎの非負整数とする。さらなる実施形態において、より高次の変調に対する符号化率が定義され、ＣＱＩテーブルに追加される。
【００８０】
別の実例において、図３の１６＋Ｎ−Ｍ個のＣＱＩが第２のテーブル構成の代替ＣＱＩテーブルで再利用される。さらなる実施形態において、Ｎ＝０のとき、新しいＣＱＩテーブルは図３のＣＱＩテーブルと同じサイズを保つことになり、より高次の変調のためのＭ個のＣＱＩが図３のＭ個のＣＱＩに置き換わる。
【００８１】
さらなる例において、ＣＱＩインデックス１に対応する最小ＣＱＩは、第２のテーブル構成の新しいＣＱＩテーブルに残される。さらなる実施形態において、ＣＱＩインデックス２からＭ＋１に対応する後続のＭ個の最小ＣＱＩは、第２のテーブル構成の新しいＣＱＩテーブルから除外される。図９に、このような実施形態の例を示す。図３と比較すると、変調次数２（ＱＰＳＫ）に対するインデックス２から５のＣＱＩが削除されているのに対し、最小ＣＱＩは残されている。その代わり図９のテーブルには、変調次数８（２５６ＱＡＭ）に対する４個のＣＱＩが追加されている。他のＣＱＩはこのテーブルで再利用され、そのインデックスは再編成されている。
【００８２】
上述のように、最小ＣＱＩ、すなわち、図３のインデックス１のエントリは、第２のテーブル構成の新しいＣＱＩテーブルで再利用してもよい。これは、無線リンクがきわめて劣悪なチャネル状態下にあっても、無線ノードとＵＥとの間の通信が適正に機能するように保証するためである。
【００８３】
別の実例において、第２のテーブル構成の新しいＣＱＩテーブルが用いられており、最小ＣＱＩのエントリが選択されたとき、これは、チャネル品質のばらつきまたは他の問題により、より高次の変調をサポートするのが難しいことを示している。したがって、次の送信に用いられるＣＱＩテーブルは、第１のテーブル構成の第１のＣＱＩテーブルに自動的にフォールバックしてもよい。その第１のＣＱＩテーブルは、制限なく現行標準のＣＱＩテーブルであってよい。
【００８４】
別の実例において、アップリンク制御シグナリング内のＣＱＩフィールドは、Ｎ＞０のとき、すなわち、新しいＣＱＩテーブルに１６個を超えるＣＱＩがある場合、ＣＱＩインデックスを示すために１つまたは複数のビット分拡張してもよい。しかし、ＣＱＩテーブルをこのように拡張すると、ＤＣＩ内に１つまたは複数の余分なビットが必要になり得る。
【００８５】
潜在的な利点
本明細書で説明した実施形態には、以下の利点があると考えられる。
【００８６】
−  ＬＴＥシステムにおけるリンクアダプテーションのプロセスがより高次の変調方式を効率的にサポートするように拡張され得ることで、セルラネットワークにおいて特に高ＳＩＮＲまたは高ＳＮＲの状況では周波数利用効率を著しく改善することができる。
【００８７】
−  ＭＣＳテーブル内の少なくとも１つのＭＣＳエントリ、例えばＭＣＳインデックス０の最小ＭＣＳのエントリ、およびＣＱＩテーブル内の少なくとも１つのＣＱＩエントリ、例えばＣＱＩインデックス１の最小変調次数の最小符号化率に対する最小ＣＱＩのエントリが、第２のテーブル構成におけるフォールバックとして第１のテーブル構成からそのまま残され得るため、無線リンクがきわめて劣悪なチャネル状態下にあるときに無線ノードとＵＥとの間の適正な通信が確保される。
【００８８】
−  現行のＭＣＳテーブルのサイズを維持することができ、拡張する場合も最小限にとどめることができる。
【００８９】
−  ＭＣＳエントリ／ＣＱＩエントリの大半をそれぞれ対応する第１のＭＣＳテーブル／ＣＱＩテーブルと第２のＭＣＳテーブル／ＣＱＩテーブルとの間で共有することにより、無線ノードおよびＵＥにおける実装のための労力を最小限にとどめることができる。
【００９０】
−  本解決策はダウンリンク送信とアップリンク送信の両方に適用可能である。
【００９１】
本解決策について特定の例示的実施形態に関して説明してきたが、この説明は概ね本発明概念の例示のみを意図したものであり、本解決策の範囲を限定するものとみなされるべきではない。例えば、この説明全体を通じて「無線ノード」、「ユーザ機器（ＵＥ）」、「テーブル構成」、および「変調次数」という用語が用いられているが、本明細書において説明した特徴および特質をもつ、対応する他の任意のエンティティ、機能、および／またはパラメータを使用することもできる。本解決策は添付の特許請求の範囲によって定義される。
【００９２】
略語
ＬＴＥ  Ｌｏｎｇ−Ｔｅｒｍ  Ｅｖｏｌｕｔｉｏｎ
ＰＤＳＣＨ  物理ダウンリンク共有チャネル
ＭＣＳ  変調符号化方式
ｅＮＢ  Ｅ−ＵＴＲＡＮ  ＮｏｄｅＢ
ＵＥ  ユーザ機器
ＣＱＩ  チャネル品質指標
ＱＰＳＫ  ４位相偏移変調
１６ＱＡＭ  １６直交振幅変調
６４ＱＡＭ  ６４直交振幅変調
ＳＩＮＲ  信号対干渉雑音比
ＤＣＩ  ダウンリンク制御情報
ＧＳＭ  Ｇｌｏｂａｌ  Ｓｙｓｔｅｍ  ｆｏｒ  Ｍｏｂｉｌｅ  Ｃｏｍｍｕｎｉｃａｔｉｏｎｓ
ＷＣＤＭＡ  広帯域符号分割多重アクセス
ＷｉＭＡＸ  Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ
ＵＭＢ  ウルトラモバイルブロードバンド
【図１】
2016535521.tif 000003
【図２】
2016535521.tif 000004
【図３】
2016535521.tif 000005
【図４】
2016535521.tif 000006
【図５】
2016535521.tif 000007
【図６】
2016535521.tif 000008
【図７】
2016535521.tif 000009
【図８】
2016535521.tif 000010
【図９】
2016535521.tif 000011
【図１０】
2016535521.tif 000012
【手続補正書】
【提出日】平成27年10月13日(2015.10.13)
【手続補正１】
【補正対象書類名】特許請求の範囲
【補正対象項目名】全文
【補正方法】変更
【補正の内容】
【特許請求の範囲】
【請求項１】
セルラネットワークの無線ノード（５００）によって実行される方法であって、前記無線ノード（５００）がユーザ機器ＵＥとの無線通信において第１のテーブル構成を適用するように動作可能であり、前記第１のテーブル構成が第１の変調符号化方式（ＭＣＳ）テーブルと第１のチャネル品質指標（ＣＱＩ）テーブルの少なくとも一方を含み、前記第１のＭＣＳテーブルと前記第１のＣＱＩテーブルの前記少なくとも一方が特定の最大変調次数をサポートし、前記方法が、
−  前記第１のテーブル構成の前記最大変調次数よりも次数の高いより高次の変調次数が前記無線ノード（５００）と第１のＵＥ（５０２）との間の無線通信に使用できる可能性があることを検出すること（４００）と、
−  前記第１のＵＥ（５０２）に対し、前記無線通信において第２のテーブル構成を適用するよう命令すること（４０２）であって、前記第２のテーブル構成が第２のＭＣＳテーブルと第２のＣＱＩテーブルの少なくとも一方を含み、前記第２のＭＣＳテーブルと前記第２のＣＱＩテーブルの前記少なくとも一方が前記より高次の変調次数をサポートし、かつ前記第１のＭＣＳテーブルと前記第１のＣＱＩテーブルの前記少なくとも一方における少なくとも１つの変調次数に対する少なくとも１つのエントリが、前記第２のテーブル構成が適用されているときの、前記第１のＭＣＳテーブルと前記第１のＣＱＩテーブルの前記少なくとも一方における前記少なくとも１つの変調次数を使用することが望ましい場合のフォールバックとして、前記第２のＭＣＳテーブルと前記第２のＣＱＩテーブルの前記少なくとも一方において維持される、命令することとを含み、
前記第１のＭＣＳテーブルと前記第１のＣＱＩテーブルの前記少なくとも一方における前記少なくとも１つの変調次数が前記第１のテーブル構成の最小変調次数を含み、前記第１のＭＣＳテーブル内の前記最小変調次数に対する最初のエントリが前記第２のＭＣＳテーブル内に前記フォールバックとして維持され、かつ前記第１のＣＱＩテーブル内の前記最小変調次数の最小符号化率に対するエントリが前記第２のＣＱＩテーブル内に前記フォールバックとして維持され、
送信のために前記フォールバックを選択することが、次の送信に対する前記第１のテーブル構成の使用を示す、方法。
【請求項２】
前記無線ノード（５００）が、前記無線ノード（５００）と前記第１のＵＥ（５０２）との間で伝達される信号のパフォーマンス関連パラメータがしきい値を上回ったとき、前記第１のＵＥ（５０２）に対し、前記無線ノード（５００）と前記第１のＵＥ（５０２）との間の前記無線通信において前記第２のテーブル構成を適用するよう命令する、請求項１に記載の方法。
【請求項３】
前記無線ノード（５００）が、前記無線ノード（５００）と第２のＵＥとの間で伝達される信号の前記パフォーマンス関連パラメータが前記しきい値を下回ったとき、前記第２のＵＥに対し、前記無線ノード（５００）と前記第２のＵＥとの間の無線通信において前記第１のテーブル構成を適用するよう命令する、請求項２に記載の方法。
【請求項４】
前記パフォーマンス関連パラメータが信号対干渉雑音比（ＳＩＮＲ）を含む、請求項２または３に記載の方法。
【請求項５】
前記無線ノード（５００）が前記第２のＵＥに対し、前記第２のＵＥへ命令を送信することにより前記第１のテーブル構成を適用するよう命令し、または前記第２のＵＥへ命令を送信しないことにより前記第２のテーブル構成を適用するよう命令する、請求項３に記載の方法。
【請求項６】
前記第２のＭＣＳテーブルと前記第２のＣＱＩテーブルの前記少なくとも一方が、それぞれ対応する前記第１のＭＣＳテーブルと前記第１のＣＱＩテーブルの前記少なくとも一方の修正であり、前記第２のＭＣＳテーブルと前記第２のＣＱＩテーブルの前記少なくとも一方で、前記より高次の変調次数のエントリのセットが追加され、かつ前記第１のＭＣＳテーブルと前記第１のＣＱＩテーブルの前記少なくとも一方における前記少なくとも１つの変調次数のエントリのセットが削除されている、請求項１ないし５のいずれか一項に記載の方法。
【請求項７】
前記第１のＭＣＳテーブルと前記第２のＭＣＳテーブルとが等しいサイズとなり、かつ／または前記第１のＣＱＩテーブルと前記第２のＣＱＩテーブルとが等しいサイズとなるように、前記より高次の変調次数の追加されるエントリの数と、前記第１のＭＣＳテーブルと前記第１のＣＱＩテーブルの前記少なくとも一方における前記少なくとも１つの変調次数の削除されるエントリの数とが等しい、請求項６に記載の方法。
【請求項８】
前記第２のＭＣＳテーブルと前記第２のＣＱＩテーブルの前記少なくとも一方が、それぞれ対応する前記第１のＭＣＳテーブルと前記第１のＣＱＩテーブルの前記少なくとも一方の修正であり、前記第２のＭＣＳテーブルと前記第２のＣＱＩテーブルの前記少なくとも一方で、前記第１のＭＣＳテーブルと前記第１のＣＱＩテーブルの前記少なくとも一方のすべてのエントリが前記第２のＭＣＳテーブルと前記第２のＣＱＩテーブルの前記少なくとも一方において維持され、かつ前記より高次の変調次数のエントリのセットが追加されている、請求項１ないし５のいずれか一項に記載の方法。
【請求項９】
前記第１のテーブル構成および前記第２のテーブル構成が、それぞれ前記第１のＭＣＳテーブルおよび前記第２のＭＣＳテーブルに対応するトランスポートブロックサイズ（ＴＢＳ）テーブルをさらに含む、請求項１ないし８のいずれか一項に記載の方法。
【請求項１０】
ユーザ機器ＵＥとの無線通信において第１のテーブル構成を適用するように動作可能である、セルラネットワークの無線ノード（５００）であって、前記第１のテーブル構成が第１の変調符号化方式（ＭＣＳ）テーブルと第１のチャネル品質指標（ＣＱＩ）テーブルの少なくとも一方を含み、前記第１のＭＣＳテーブルと前記第１のＣＱＩテーブルの前記少なくとも一方が特定の最大変調次数をサポートし、前記無線ノード（５００）が、
−  前記第１のテーブル構成の前記最大変調次数よりも次数の高いより高次の変調次数が前記無線ノード（５００）と第１のＵＥ（５０２）との間の無線通信に使用できる可能性があることを検出するように設定された、論理部（５００ａ）と、
−  前記第１のＵＥ（５０２）に対し、前記無線通信において第２のテーブル構成を適用するよう命令するように設定された命令部（５００ｂ）であって、前記第２のテーブル構成が第２のＭＣＳテーブルと第２のＣＱＩテーブルの少なくとも一方を含み、前記第２のＭＣＳテーブルと前記第２のＣＱＩテーブルの前記少なくとも一方が前記より高次の変調次数をサポートし、かつ前記第１のＭＣＳテーブルと前記第１のＣＱＩテーブルの前記少なくとも一方における少なくとも１つの変調次数に対する少なくとも１つのエントリが、前記第２のテーブル構成が適用されているときの、前記第１のＭＣＳテーブルと前記第１のＣＱＩテーブルの前記少なくとも一方における前記少なくとも１つの変調次数を使用することが望ましい場合のフォールバックとして、前記第２のＭＣＳテーブルと前記第２のＣＱＩテーブルの前記少なくとも一方において維持される、命令部（５００ｂ）とを備え、
前記第１のＭＣＳテーブルと前記第１のＣＱＩテーブルの前記少なくとも一方における前記少なくとも１つの変調次数が、前記第１のテーブル構成の最小変調次数を含み、前記第１のＭＣＳテーブル内の前記最小変調次数に対する最初のエントリが、前記第２のＭＣＳテーブル内に前記フォールバックとして維持され、かつ前記第１のＣＱＩテーブル内の前記最小変調次数の最小符号化率に対するエントリが、前記第２のＣＱＩテーブル内に前記フォールバックとして維持され、
送信のために前記フォールバックを選択することが、次の送信に対する前記第１のテーブル構成の使用を示す、無線ノード。
【請求項１１】
前記無線ノード（５００）と前記第１のＵＥ（５０２）との間で伝達される信号のパフォーマンス関連パラメータがしきい値を上回ったとき、前記第１のＵＥ（５０２）に対し、前記無線ノード（５００）と前記第１のＵＥ（５０２）との間の前記無線通信において前記第２のテーブル構成を適用するよう命令するように設定された、請求項１０に記載の無線ノード（５００）。
【請求項１２】
前記無線ノード（５００）と第２のＵＥとの間で伝達される信号の前記パフォーマンス関連パラメータが前記しきい値を下回ったとき、前記第２のＵＥに対し、前記無線ノード（５００）と前記第２のＵＥとの間の無線通信において前記第１のテーブル構成を適用するよう命令するように設定された、請求項１１に記載の無線ノード（５００）。
【請求項１３】
前記パフォーマンス関連パラメータが信号対干渉雑音比（ＳＩＮＲ）を含む、請求項１１または１２に記載の無線ノード（５００）。
【請求項１４】
前記第２のＵＥに対し、前記第２のＵＥへ命令を送信することにより前記第１のテーブル構成を適用するよう命令し、または前記第２のＵＥへ命令を送信しないことにより前記第２のテーブル構成を適用するよう命令するように設定された、請求項１２に記載の無線ノード（５００）。
【請求項１５】
前記第２のＭＣＳテーブルと前記第２のＣＱＩテーブルの前記少なくとも一方が、それぞれ対応する前記第１のＭＣＳテーブルと前記第１のＣＱＩテーブルの前記少なくとも一方の修正であり、前記第２のＭＣＳテーブルと前記第２のＣＱＩテーブルの前記少なくとも一方で、前記より高次の変調次数のエントリのセットが追加され、かつ前記第１のＭＣＳテーブルと前記第１のＣＱＩテーブルの前記少なくとも一方における前記少なくとも１つの変調次数のエントリのセットが削除されている、請求項１０ないし１４のいずれか一項に記載の無線ノード（５００）。
【請求項１６】
前記第１のＭＣＳテーブルと前記第２のＭＣＳテーブルとが等しいサイズとなり、かつ／または前記第１のＣＱＩテーブルと前記第２のＣＱＩテーブルとが等しいサイズとなるように、前記より高次の変調次数の追加されるエントリの数と、前記第１のＭＣＳテーブルと前記第１のＣＱＩテーブルの前記少なくとも一方における前記少なくとも１つの変調次数の削除されるエントリの数とが等しい、請求項１５に記載の無線ノード（５００）。
【請求項１７】
前記第２のＭＣＳテーブルと前記第２のＣＱＩテーブルの前記少なくとも一方が、それぞれ対応する前記第１のＭＣＳテーブルと前記第１のＣＱＩテーブルの前記少なくとも一方の修正であり、前記第２のＭＣＳテーブルと前記第２のＣＱＩテーブルの前記少なくとも一方で、前記第１のＭＣＳテーブルと前記第１のＣＱＩテーブルの前記少なくとも一方のすべてのエントリが前記第２のＭＣＳテーブルと前記第２のＣＱＩテーブルの前記少なくとも一方において維持され、かつ前記より高次の変調次数のエントリのセットが追加されている、請求項１０ないし１４のいずれか一項に記載の無線ノード（５００）。
【請求項１８】
前記第１のテーブル構成および前記第２のテーブル構成が、それぞれ前記第１のＭＣＳテーブルおよび前記第２のＭＣＳテーブルに対応するトランスポートブロックサイズ（ＴＢＳ）テーブルをさらに含む、請求項１０ないし１７のいずれか一項に記載の無線ノード（５００）。
【請求項１９】
ユーザ機器ＵＥ（７００）によって実行される方法であって、前記ＵＥ（７００）がセルラネットワークの無線ノード（７０２）との無線通信において第１のテーブル構成を適用するように動作可能であり、前記第１のテーブル構成が第１の変調符号化方式（ＭＣＳ）テーブルと第１のチャネル品質指標（ＣＱＩ）テーブルの少なくとも一方を含み、前記第１のＭＣＳテーブルと前記第１のＣＱＩテーブルの前記少なくとも一方が特定の最大変調次数をサポートし、前記方法が、
−  前記無線通信において第２のテーブル構成を適用する命令を前記無線ノード（７０２）から受信すること（６００）であって、前記第２のテーブル構成が第２のＭＣＳテーブルと第２のＣＱＩテーブルの少なくとも一方を含み、前記第２のＭＣＳテーブルと前記第２のＣＱＩテーブルの前記少なくとも一方が、前記第１のテーブル構成の前記最大変調次数よりも次数の高いより高次の変調次数をサポートする、受信することと、
−  前記無線ノード（７０２）との前記無線通信において前記第２のテーブル構成を適用すること（６０２）とを含み、
前記第１のＭＣＳテーブルと前記第１のＣＱＩテーブルの前記少なくとも一方における少なくとも１つの変調次数に対する少なくとも１つのエントリが、前記第２のテーブル構成が適用されているときの、前記第１のＭＣＳテーブルと前記第１のＣＱＩテーブルの前記少なくとも一方における前記少なくとも１つの変調次数を使用することが望ましい場合のフォールバックとして、前記第２のＭＣＳテーブルと前記第２のＣＱＩテーブルの前記少なくとも一方において維持され、
前記第１のＭＣＳテーブルと前記第１のＣＱＩテーブルの前記少なくとも一方における前記少なくとも１つの変調次数が、前記第１のテーブル構成の最小変調次数を含み、前記第１のＭＣＳテーブル内の前記最小変調次数に対する最初のエントリが、前記第２のＭＣＳテーブル内に前記フォールバックとして維持され、かつ前記第１のＣＱＩテーブル内の前記最小変調次数の最小符号化率に対するエントリが、前記第２のＣＱＩテーブル内に前記フォールバックとして維持され、
送信のために前記フォールバックを選択することが、次の送信に対する前記第１のテーブル構成の使用を示す、方法。
【請求項２０】
セルラネットワークの無線ノード（７０２）との無線通信において第１のテーブル構成を適用するように動作可能であるユーザ機器ＵＥ（７００）であって、前記第１のテーブル構成が第１の変調符号化方式（ＭＣＳ）テーブルと第１のチャネル品質指標（ＣＱＩ）テーブルの少なくとも一方を含み、前記第１のＭＣＳテーブルと前記第１のＣＱＩテーブルの前記少なくとも一方が特定の最大変調次数をサポートし、前記ＵＥ（７００）が、
−  前記無線通信において第２のテーブル構成を適用する命令を前記無線ノード（７０２）から受信するように設定された通信部（７００ａ）であって、前記第２のテーブル構成が第２のＭＣＳテーブルと第２のＣＱＩテーブルの少なくとも一方を含み、前記第２のＭＣＳテーブルと前記第２のＣＱＩテーブルの前記少なくとも一方が、前記第１のテーブル構成の前記最大変調次数よりも次数の高いより高次の変調次数をサポートする、通信部と、
−  前記無線ノード（７０２）との前記無線通信において前記第２のテーブル構成を適用するように設定された論理部（７００ｂ）とを備え、
前記第１のＭＣＳテーブルと前記第１のＣＱＩテーブルの前記少なくとも一方における少なくとも１つの変調次数に対する少なくとも１つのエントリが、前記第２のテーブル構成が適用されているときの、前記第１のＭＣＳテーブルと前記第１のＣＱＩテーブルの前記少なくとも一方における前記少なくとも１つの変調次数を使用することが望ましい場合のフォールバックとして、前記第２のＭＣＳテーブルと前記第２のＣＱＩテーブルの前記少なくとも一方において維持され、
前記第１のＭＣＳテーブルと前記第１のＣＱＩテーブルの前記少なくとも一方における前記少なくとも１つの変調次数が、前記第１のテーブル構成の最小変調次数を含み、前記第１のＭＣＳテーブル内の前記最小変調次数に対する最初のエントリが、前記第２のＭＣＳテーブル内に前記フォールバックとして維持され、かつ前記第１のＣＱＩテーブル内の前記最小変調次数の最小符号化率に対するエントリが、前記第２のＣＱＩテーブル内に前記フォールバックとして維持され、
送信のために前記フォールバックを選択することが、次の送信に対する前記第１のテーブル構成の使用を示す、ＵＥ。
【国際調査報告】
2016535521.tif 000013
2016535521.tif 000014
2016535521.tif 000015
2016535521.tif 000016